(57)【特許請求の範囲】
【請求項１】
描画対象の表を構成している複数のセルの属性情報を含むセル情報を記憶するセル情報記憶手段と、
上記複数のセルの中で、現在選択中のセルを示す選択情報を取得する選択情報取得手段と、
上記セル情報記憶手段により記憶されたセル情報に含まれている属性情報を参照して、上記複数のセルの中から、上記選択情報取得手段により取得された選択情報が示す現在選択中のセルと同一属性のセルを検索するセル検索手段と、
上記選択情報取得手段により取得された選択情報が示す現在選択中のセル及び上記セル検索手段により検索されたセルを強調する表示形態で、描画対象の表を表示する表示手段とを備え、
上記セル情報記憶手段は、上記セルの属性情報の他に、上記セルの詳細情報を含むセル情報を記憶しており、
上記表示手段は、描画対象の表を表示する際、上記セル情報記憶手段により記憶されたセル情報に含まれている詳細情報を取得して、上記選択情報取得手段により取得された選択情報が示す現在選択中のセル及び上記セル検索手段により検索されたセルの詳細情報を表示する
ことを特徴とする表示制御装置。
【請求項２】
上記表示手段は、上記選択情報取得手段により取得された選択情報が示す現在選択中のセルが変更された場合、変更後のセルを強調する表示形態で、描画対象の表を表示してから、一定時間経過後に、上記セル検索手段により検索されたセルを強調する表示形態で、描画対象の表を表示することを特徴とする請求項１記載の表示制御装置。
【請求項３】
属性の絞り込みを受け付ける属性絞込み受付手段を設け、
上記セル検索手段は、上記選択情報取得手段により取得された選択情報が示す現在選択中のセルと同一属性のセルを検索する際、上記属性絞込み受付手段により受け付けられた絞り込み後の属性が同一のセルを検索する
ことを特徴とする請求項１または請求項２記載の表示制御装置。
【請求項４】
描画対象の表が番組表であって、上記表を構成している複数のセルが番組に関するものであり、
上記セル検索手段は、複数のセルの中から、上記選択情報取得手段により取得された選択情報が示す現在選択中のセルである番組と同一ジャンルの番組を検索する
ことを特徴とする請求項１または請求項２記載の表示制御装置。
【請求項５】
セルの強調方法の設定を受け付ける強調方法設定受付手段を設け、
上記表示手段は、上記強調方法設定受付手段により設定が受け付けられた強調方法でセルを強調する表示形態で、描画対象の表を表示する
ことを特徴とする請求項１から請求項４のうちのいずれか１項記載の表示制御装置。
【請求項６】
セル情報記憶手段が、描画対象の表を構成している複数のセルの属性情報を含むセル情報を記憶するセル情報記憶処理ステップと、
選択情報取得手段が、上記複数のセルの中で、現在選択中のセルを示す選択情報を取得する選択情報取得処理ステップと、
セル検索手段が、上記セル情報記憶処理ステップで記憶されたセル情報に含まれている属性情報を参照して、上記複数のセルの中から、上記選択情報取得処理ステップで取得された選択情報が示す現在選択中のセルと同一属性のセルを検索するセル検索処理ステップと、
表示手段が、上記選択情報取得処理ステップで取得された選択情報が示す現在選択中のセル及び上記セル検索処理ステップで検索されたセルを強調する表示形態で、描画対象の表を表示する表示処理ステップとを備え、
上記セル情報記憶処理ステップでは、上記セルの属性情報の他に、上記セルの詳細情報を含むセル情報を記憶し、
上記表示処理ステップでは、描画対象の表を表示する際、上記セル情報記憶処理ステップで記憶されたセル情報に含まれている詳細情報を取得して、上記選択情報取得処理ステップで取得された選択情報が示す現在選択中のセル及び上記セル検索処理ステップで検索されたセルの詳細情報を表示する
ことを特徴とする表示制御方法。
【請求項７】
描画対象の表を構成している複数のセルの属性情報を含むセル情報を記憶するセル情報記憶処理手順と、
上記複数のセルの中で、現在選択中のセルを示す選択情報を取得する選択情報取得処理手順と、
上記セル情報記憶処理手順により記憶されたセル情報に含まれている属性情報を参照して、上記複数のセルの中から、上記選択情報取得処理手順により取得された選択情報が示す現在選択中のセルと同一属性のセルを検索するセル検索処理手順と、
上記選択情報取得処理手順により取得された選択情報が示す現在選択中のセル及び上記セル検索処理手順により検索されたセルを強調する表示形態で、描画対象の表を表示する表示処理手順とをコンピュータに実行させるためのプログラムであって、
上記セル情報記憶処理手順は、上記セルの属性情報の他に、上記セルの詳細情報を含むセル情報を記憶し、
上記表示処理手順は、描画対象の表を表示する際、上記セル情報記憶処理手順により記憶されたセル情報に含まれている詳細情報を取得して、上記選択情報取得処理手順により取得された選択情報が示す現在選択中のセル及び上記セル検索処理手順により検索されたセルの詳細情報を表示する
ことを特徴とする表示制御プログラム。
【発明の詳細な説明】
【技術分野】
【０００１】
この発明は、例えば、テレビの電子番組表やスケジュール表などを表示する表示制御装置、表示制御方法及び表示制御プログラムに関するものである。
【背景技術】
【０００２】
例えば、電子番組表を表示する表示制御装置としては、テレビやブルーレイディスクレコーダなどのＡＶ機器があるが、電子番組表を構成している複数のセルは個々の番組に対応しており、個々のセルには、番組に係るサムネイル画像、タイトル（番組名）、番組の内容を示す文字列などが表示される。
近年、表示制御装置の処理能力の向上や、表示領域の拡大（ディスプレイの大型化）に伴って、画像や文字列などの表示内容が増加している。
【０００３】
表示内容の増加は、より多くの番組の情報が提示されるため、ユーザが所望の番組を選択する際の手助けとなる一方、番組表が煩雑になって、ユーザが所望の番組を見つけるのに時間を要することがある。
以下の特許文献１には、ユーザが所望の番組を容易に見つけることができるようにするために、番組をジャンル分けし、同一ジャンルの番組を同一色で表示する表示制御装置が開示されている。
即ち、この表示制御装置では、電子番組表において、例えば、スポーツ番組は黄色、ドラマ番組は赤色、ニュース番組は青色で表示するなど、ジャンル別の色分け方法を用いて、電子番組表を表示している。
【０００４】
これにより、ユーザが所望の番組を選択する際、表示色から番組のジャンルを直感的に把握することができるため、ユーザが所望の番組を容易に見つけることができるようになる。
ただし、この表示制御装置では、ユーザがジャンルに対応する表示色を自由に設定することができるが、ジャンルの数が多くなると、ジャンルと表示色の対応関係を覚えきれない可能性がある。
【０００５】
なお、テレビの電子番組表において、ユーザがジャンルのメニューを表示する操作を行い、ユーザが「ドラマ」「スポーツ」などのジャンルから、所望のジャンルを選択すると、そのジャンルに属している番組を検索して表示する表示制御装置も開発されている。
ただし、この表示制御装置では、多くのジャンルから１つのジャンルを選択する操作が必要であり、操作が面倒な場合がある。また、番組によっては、どのジャンルに属しているのかを正確に把握することができず、見つけるのに困難を要する場合もある。
【先行技術文献】
【特許文献】
【０００６】
【特許文献１】特開平１１−１９６３４３号公報（段落番号［００３８］から［００４４］）
【発明の概要】
【発明が解決しようとする課題】
【０００７】
従来の表示制御装置は以上のように構成されているので、ジャンルと表示色の対応関係を覚えていなければ、番組がジャンル別に色分けされていても、番組のジャンルを把握することができず、ユーザが所望の番組を容易に見つけることができない課題があった。
また、ユーザがジャンルのメニューを表示する操作を行って、所望のジャンルを選択する方式では、ユーザが所望の番組を見つけるまでに多くの操作を行わなければならない課題があった。
【０００８】
この発明は上記のような課題を解決するためになされたもので、ユーザが面倒な操作を行うことなく、所望の番組を容易に見つけることができる表示制御装置、表示制御方法及び表示制御プログラムを得ることを目的とする。
【課題を解決するための手段】
【０００９】
この発明に係る表示制御装置は、描画対象の表を構成している複数のセルの属性情報を含むセル情報を記憶するセル情報記憶手段と、複数のセルの中で、現在選択中のセルを示す選択情報を取得する選択情報取得手段と、セル情報記憶手段により記憶されたセル情報に含まれている属性情報を参照して、複数のセルの中から、選択情報取得手段により取得された選択情報が示す現在選択中のセルと同一属性のセルを検索するセル検索手段とを設け、表示手段が、選択情報取得手段により取得された選択情報が示す現在選択中のセル及びセル検索手段により検索されたセルを強調する表示形態で、描画対象の表を表示するようにしたものである。
また、セル情報記憶手段が、セルの属性情報の他に、セルの詳細情報を含むセル情報を記憶しており、表示手段が、描画対象の表を表示する際、セル情報記憶手段により記憶されたセル情報に含まれている詳細情報を取得して、選択情報取得手段により取得された選択情報が示す現在選択中のセル及びセル検索手段により検索されたセルの詳細情報を表示するようにしたものである。
【発明の効果】
【００１０】
この発明によれば、描画対象の表を構成している複数のセルの属性情報を含むセル情報を記憶するセル情報記憶手段と、複数のセルの中で、現在選択中のセルを示す選択情報を取得する選択情報取得手段と、セル情報記憶手段により記憶されたセル情報に含まれている属性情報を参照して、複数のセルの中から、選択情報取得手段により取得された選択情報が示す現在選択中のセルと同一属性のセルを検索するセル検索手段とを設け、表示手段が、選択情報取得手段により取得された選択情報が示す現在選択中のセル及びセル検索手段により検索されたセルを強調する表示形態で、描画対象の表を表示するように構成したので、ユーザが面倒な操作を行うことなく、所望のセル（例えば、番組）を容易に見つけることができる効果がある。
また、セル情報記憶手段が、セルの属性情報の他に、セルの詳細情報を含むセル情報を記憶しており、表示手段が、描画対象の表を表示する際、セル情報記憶手段により記憶されたセル情報に含まれている詳細情報を取得して、選択情報取得手段により取得された選択情報が示す現在選択中のセル及びセル検索手段により検索されたセルの詳細情報を表示するように構成したので、情報量が多くなり過ぎることなく、番組内容の理解に役立てることができる効果がある。
【図面の簡単な説明】
【００１１】
【図１】この発明の実施の形態１による表示制御装置を示す構成図である。
【図２】この発明の実施の形態１による表示制御装置の処理内容（表示制御方法）を示すフローチャートである。
【図３】番組のジャンル分け例を示す説明図である。
【図４】電子番組表の表示例（ジャンルがドラマの番組を強調表示）を示す説明図である。
【図５】電子番組表の表示例（ジャンルがスポーツの番組を強調表示）を示す説明図である。
【図６】電子番組表の表示例（番組の詳細情報を表示）を示す説明図である。
【図７】番組の詳細情報の一例を示す説明図である。
【図８】この発明の実施の形態３による表示制御装置を示す構成図である。
【図９】表示形態の変更例を示す説明図である。
【図１０】この発明の実施の形態４による表示制御装置を示す構成図である。
【図１１】属性の絞り込み候補を示す説明図である。
【図１２】この発明の実施の形態５による表示制御装置を示す構成図である。
【図１３】強調方法の具体例を示す説明図である。
【図１４】表形式のショッピング画面の表示例を示す説明図である。
【図１５】表形式の画像一覧画面の表示例を示す説明図である。
【発明を実施するための形態】
【００１２】
実施の形態１．
図１はこの発明の実施の形態１による表示制御装置を示す構成図である。
図１の表示制御装置は、テレビの電子番組表やスケジュール表などを表示する装置であるが、この実施の形態１では、描画対象の表が電子番組表である例を説明する。
なお、描画対象の表は、電子番組表やスケジュール表などに限るものではなく、各種の表を適用することができる。
【００１３】
図１において、セル情報記憶部１は例えばＲＡＭやハードディスクなどの記録装置から構成されており、例えば、テレビなどのＡＶ機器により受信されたテレビの電子番組表（描画対象の表）を収集して、その電子番組表を構成している複数の番組（セル）に関する情報であるセル情報を記憶する。
このセル情報には、番組を識別する番組ＩＤ、番組の名称（番組タイトル）、番組の内容（番組の詳細情報）、番組のジャンルなどを示す属性情報などが含まれている。
なお、セル情報記憶部１はセル情報記憶手段を構成している。
【００１４】
選択情報取得部２は例えばリモコンやＡＶ機器などから情報を入手するインタフェース機器（例えば、赤外線インタフェース回路や、ＬＡＮインタフェース回路など）や、ＣＰＵを実装している半導体集積回路などから構成されており、リモコンやＡＶ機器などから、電子番組表を構成している複数の番組の中で、現在選択中の番組を示す番組ＩＤ（選択情報）を取得する処理を実施する。
また、選択情報取得部２はセル情報記憶部１から、その番組ＩＤを有する番組の属性情報を取得して、その属性情報をセル検索部３に出力する処理を実施する。
なお、選択情報取得部２は選択情報取得手段を構成している。
【００１５】
セル検索部３は例えばＣＰＵを実装している半導体集積回路、あるいは、ワンチップマイコンなどから構成されており、選択情報取得部２から出力された属性情報と、セル情報記憶部１により記憶されたセル情報に含まれている属性情報とを照合して、電子番組表を構成している複数の番組の中から、現在選択中の番組と同一属性の番組を検索する処理を実施する。
また、セル検索部３は現在選択中の番組と同一属性の番組を検索すると、現在選択中の番組を示す番組ＩＤと、その番組と同一属性の番組を示す番組ＩＤとを表示形態設定部４に出力する処理を実施する。
なお、セル検索部３はセル検索手段を構成している。
【００１６】
表示形態設定部４は例えばＣＰＵを実装している半導体集積回路、あるいは、ワンチップマイコンなどから構成されており、電子番組表の表示形態として、セル検索部３から出力された番組ＩＤ（現在選択中の番組を示す番組ＩＤ、現在選択中の番組と同一属性の番組を示す番組ＩＤ）が示す番組を強調する表示形態を設定する処理を実施する。
表示処理部５は例えばＧＰＵ（Ｇｒａｐｈｉｃｓ  Ｐｒｏｃｅｓｓｉｎｇ  Ｕｎｉｔ）などから構成されており、表示形態設定部４により設定された表示形態で、テレビの電子番組表を図示せぬディスプレイに表示する処理を実施する。
なお、表示形態設定部４及び表示処理部５から表示手段が構成されている。
【００１７】
図１の例では、表示制御装置の構成要素であるセル情報記憶部１、選択情報取得部２、セル検索部３、表示形態設定部４及び表示処理部５のそれぞれが専用のハードウェアで構成されているものを想定しているが、表示制御装置がコンピュータで構成されていてもよい。
表示制御装置がコンピュータで構成されている場合、例えば、セル情報記憶部１をコンピュータのメモリ上に構成するとともに、選択情報取得部２、セル検索部３、表示形態設定部４及び表示処理部５の処理内容を記述している表示制御プログラムをコンピュータのメモリに格納し、当該コンピュータのＣＰＵが当該メモリに格納されている表示制御プログラムを実行するようにすればよい。
図２はこの発明の実施の形態１による表示制御装置の処理内容（表示制御方法）を示すフローチャートである。
【００１８】
次に動作について説明する。
まず、テレビなどのＡＶ機器により受信されたテレビの電子番組表がセル情報記憶部１に送られ、その電子番組表を構成している複数の番組に関する情報であるセル情報がセル情報記憶部１に記憶される（図２のステップＳＴ１）。
ここで、セル情報には、番組を識別する番組ＩＤ、番組の名称（番組タイトル）、番組の内容、番組のジャンルなどを示す属性情報などが含まれており、番組のジャンルは、例えば、図３に示すように分類されている。
図３の例では、番組のジャンルは、ニュース／報道、スポーツ、情報／ワイドショー、ドラマなどに分類されており、ジャンルを示す識別情報として、ニュース／報道には「０」、スポーツには「１」、情報／ワイドショーには「２」、ドラマには「３」などが割り当てられている。
【００１９】
選択情報取得部２は、例えば、リモコンやＡＶ機器などから、電子番組表を構成している複数の番組の中で、現在選択中の番組を示す番組ＩＤを取得する（ステップＳＴ２）。
選択情報取得部２は、現在選択中の番組を示す番組ＩＤを取得すると、セル情報記憶部１から、その番組ＩＤを有する番組（現在選択中の番組）の属性情報を取得して、その属性情報及び番組ＩＤをセル検索部３に出力する（ステップＳＴ３）。
【００２０】
セル検索部３は、選択情報取得部２から属性情報及び番組ＩＤを受けると、その属性情報と、セル情報記憶部１により記憶されたセル情報に含まれている属性情報とを照合して、電子番組表を構成している複数の番組の中から、現在選択中の番組と同一属性の番組を検索する（ステップＳＴ４）。
例えば、現在選択中の番組の属性情報が示すジャンルがドラマ（識別情報＝３）であれば、電子番組表を構成している複数の番組の中から、ジャンルがドラマ（識別情報＝３）である番組を検索する。
セル検索部３は、現在選択中の番組と同一属性の番組を検索すると、現在選択中の番組を示す番組ＩＤと、その番組と同一属性の番組を示す番組ＩＤとを表示形態設定部４に出力する。
ただし、現在選択中の番組と同一属性の番組が存在しない場合には、現在選択中の番組を示す番組ＩＤだけを表示形態設定部４に出力する。
【００２１】
表示形態設定部４は、セル検索部３から番組ＩＤ（現在選択中の番組を示す番組ＩＤ、現在選択中の番組と同一属性の番組を示す番組ＩＤ）を受けると、それらの番組ＩＤが示す番組を強調する表示形態を設定する（ステップＳＴ５）。
表示処理部５は、表示形態設定部４が表示形態を設定すると、その表示形態で、テレビの電子番組表を図示せぬディスプレイに表示する（ステップＳＴ６）。
【００２２】
ここで、図４は電子番組表の表示例（ジャンルがドラマの番組を強調表示）を示す説明図である。
図４の例では、現在選択中の番組が「木曜ドラマスペシャル」であり、当該番組のジャンルは「ドラマ」である。
このため、現在選択中の番組と同一属性の番組として、ジャンルがドラマである番組「ドラマ１０」「ドラマ１１」「時代劇スペシャル」が検索されて、「木曜ドラマスペシャル」「ドラマ１０」「ドラマ１１」「時代劇スペシャル」が強調表示されている。
例えば、「木曜ドラマスペシャル」「ドラマ１０」「ドラマ１１」「時代劇スペシャル」の色（例えば、赤色）が、他の番組の色（例えば、白色）と異なる色で表示される。
【００２３】
その後、ユーザがリモコン等を操作することで、現在選択中の番組を変更すると（ステップＳＴ７）、ユーザにより変更された現在選択中の番組（以下、「変更後の番組」と称する）を示す番組ＩＤが選択情報取得部２に入力される。
選択情報取得部２は、変更後の番組を示す番組ＩＤを取得すると（ステップＳＴ２）、セル情報記憶部１から、その番組ＩＤを有する番組の属性情報を取得して、その属性情報及び上記番組ＩＤをセル検索部３に出力する（ステップＳＴ３）。
【００２４】
セル検索部３は、選択情報取得部２から属性情報及び番組ＩＤを受けると、その属性情報と、セル情報記憶部１により記憶されたセル情報に含まれている属性情報とを照合して、電子番組表を構成している複数の番組の中から、変更後の番組と同一属性の番組を検索する（ステップＳＴ４）。
セル検索部３は、変更後の番組と同一属性の番組を検索すると、変更後の番組を示す番組ＩＤと、その番組と同一属性の番組を示す番組ＩＤとを表示形態設定部４に出力する。
ただし、変更後の番組と同一属性の番組が存在しない場合には、変更後の番組を示す番組ＩＤだけを表示形態設定部４に出力する。
【００２５】
表示形態設定部４は、セル検索部３から番組ＩＤ（変更後の番組を示す番組ＩＤ、変更後の番組と同一属性の番組を示す番組ＩＤ）を受けると、それらの番組ＩＤが示す番組を強調する表示形態を設定する（ステップＳＴ５）。
表示処理部５は、表示形態設定部４が表示形態を設定すると、その表示形態で、テレビの電子番組表を図示せぬディスプレイに表示する（ステップＳＴ６）。
【００２６】
ここで、図５は電子番組表の表示例（ジャンルがスポーツの番組を強調表示）を示す説明図である。
図５の例では、現在選択中の番組が「木曜ドラマスペシャル」から「ワールドゴルフ」に変更されており、変更後の番組のジャンルは「スポーツ」である。
このため、変更後の番組と同一属性の番組として、ジャンルがスポーツである番組「野球ダイジェスト」「サッカーダイジェスト」「ゴルフ１０」が検索されて、「ワールドゴルフ」「野球ダイジェスト」「サッカーダイジェスト」「ゴルフ１０」が強調表示されている。
例えば、「ワールドゴルフ」「野球ダイジェスト」「サッカーダイジェスト」「ゴルフ１０」の色（例えば、黄色）が、他の番組の色（例えば、白色）と異なる色で表示される。
【００２７】
以下、電子番組表の表示処理を終了するまで、ステップＳＴ２〜ＳＴ７の処理が繰り返し実施される（ステップＳＴ８）。
【００２８】
以上で明らかなように、この実施の形態１によれば、電子番組表を構成している複数の番組の属性情報を含むセル情報を記憶するセル情報記憶部１と、複数の番組の中で、現在選択中の番組を示す番組ＩＤを取得する選択情報取得部２と、セル情報記憶部１により記憶されたセル情報に含まれている属性情報を参照して、複数の番組の中から、選択情報取得部２により取得された番組ＩＤが示す現在選択中の番組と同一属性の番組を検索するセル検索部３とを設け、表示形態設定部４が、選択情報取得部２により取得された番組ＩＤが示す現在選択中の番組及びセル検索部３により検索された番組を強調する表示形態を設定し、表示処理部５が、表示形態設定部４により設定された表示形態で電子番組表を表示するように構成したので、ユーザが面倒な操作を行うことなく、所望の番組を容易に見つけることができる効果を奏する。
即ち、現在選択中の番組（現在選択中の番組は、ユーザが興味を持っている可能性が高い番組であると考えられる）と同じジャンルの番組（現在選択中の番組と同じジャンルの番組も、ユーザが興味を持っている可能性が高い番組であると考えられる）が目立つように表示されるため、ユーザが興味のある番組を容易に見つけることができる。
【００２９】
実施の形態２．
上記実施の形態１では、表示処理部５が、表示形態設定部４により設定された表示形態で電子番組表を表示する際、番組の名称（番組タイトル）だけを表示しているものを示したが（図４、図５を参照）、現在選択中の番組や同一属性の番組については、図６に示すように、番組の名称（番組タイトル）の他に、番組の詳細情報を表示するようにしてもよい。
【００３０】
電子番組表を構成している全ての番組について、番組の詳細情報を表示してしまうと、情報量が多くなり過ぎて、見づらいものとなるが、現在選択中の番組や同一属性の番組に限って、番組の詳細情報を表示する場合、情報量が多くなり過ぎることはなく、番組内容の理解に役立つものとなる。
ここで、図６は電子番組表の表示例（番組の詳細情報を表示）を示す説明図である。
また、図７は番組の詳細情報の一例を示す説明図である。
図７の例では、番組の開始時刻・終了時刻、番組の内容情報、出演者情報、画像情報、キーワード情報などを挙げている。
【００３１】
実施の形態３．
上記実施の形態１，２では、現在選択中の番組が変更されると、変更後の番組と同一属性の番組を検索し、それらの番組を強調表示するものを示したが、現在選択中の番組が変更されると、概ねリアルタイムで、変更後の番組及び同一属性の番組の強調表示が行われる。
この実施の形態３では、現在選択中の番組が変更されると、変更後の番組の強調表示についてはリアルタイムに行うが、変更後の番組と同一属性の番組の強調表示については、一定時間経過に行う表示制御装置を開示する。
【００３２】
図８はこの発明の実施の形態３による表示制御装置を示す構成図であり、図において、図１と同一符号は同一または相当部分を示すので説明を省略する。
変更制御部６は例えばＣＰＵを実装している半導体集積回路、あるいは、ワンチップマイコンから構成されており、表示形態設定部７による表示形態の変更を制御する処理を実施する。
【００３３】
表示形態設定部７は例えばＣＰＵを実装している半導体集積回路、あるいは、ワンチップマイコンなどから構成されており、図１の表示形態設定部４と同様に、電子番組表の表示形態として、セル検索部３から出力された番組ＩＤ（現在選択中の番組を示す番組ＩＤ、現在選択中の番組と同一属性の番組を示す番組ＩＤ）が示す番組を強調する表示形態を設定する処理を実施するが、図１の表示形態設定部４と異なり、変更制御部６の指示の下、最初に、変更後の番組を強調する表示形態を設定してから、一定時間（例えば、０．５秒）の経過後に、変更後の番組と同一属性の番組を強調する表示形態を設定する処理を実施する。
なお、変更制御部６、表示形態設定部７及び表示処理部５から表示手段が構成されている。
【００３４】
図８の例では、表示制御装置の構成要素であるセル情報記憶部１、選択情報取得部２、セル検索部３、変更制御部６、表示形態設定部７及び表示処理部５のそれぞれが専用のハードウェアで構成されているものを想定しているが、表示制御装置がコンピュータで構成されていてもよい。
表示制御装置がコンピュータで構成されている場合、例えば、セル情報記憶部１をコンピュータのメモリ上に構成するとともに、選択情報取得部２、セル検索部３、変更制御部６、表示形態設定部７及び表示処理部５の処理内容を記述している表示制御プログラムをコンピュータのメモリに格納し、当該コンピュータのＣＰＵが当該メモリに格納されている表示制御プログラムを実行するようにすればよい。
【００３５】
次に動作について説明する。
ただし、変更制御部６及び表示形態設定部７以外は、上記実施の形態１，２と同様であるため、ここでは、主に変更制御部６及び表示形態設定部７の処理内容を説明する。
【００３６】
表示形態設定部７は、ユーザがリモコン等を操作して、現在選択中の番組を変更することで、セル検索部３から変更後の番組を示す番組ＩＤと、変更後の番組と同一属性の番組を示す番組ＩＤとを受けると、それらの番組ＩＤを受けた旨を変更制御部６に通知する。
変更制御部６は、表示形態設定部７から、番組ＩＤを受けた旨の通知を受けると、変更後の番組を強調する表示形態の設定を表示形態設定部７に指示する。
【００３７】
表示形態設定部７は、変更制御部６から変更後の番組を強調する表示形態の設定指示を受けると、変更後の番組を強調する表示形態を設定する。
表示処理部５は、表示形態設定部７が表示形態を設定すると、その表示形態で、テレビの電子番組表を図示せぬディスプレイに表示する。
ここで、図９は表示形態の変更例を示す説明図である。
図９（ａ）の電子番組表を表示している状態で、現在選択中の番組が「木曜ドラマスペシャル」から「ワールドゴルフ」に変更されることで、図９（ｂ）に示すような電子番組表の表示に切り換えられる。
【００３８】
変更制御部６は、変更後の番組を強調する表示形態の設定指示を表示形態設定部７に出力してから、一定時間（例えば、０．５秒）が経過すると、変更後の番組と同一属性の番組を強調する表示形態の設定を表示形態設定部７に指示する。
表示形態設定部７は、変更制御部６から変更後の番組と同一属性の番組を強調する表示形態の設定指示を受けると、同一属性の番組を強調する表示形態を設定する。
【００３９】
表示処理部５は、表示形態設定部７が表示形態を設定すると、その表示形態で、テレビの電子番組表を図示せぬディスプレイに表示する。
これにより、図９（ｂ）の電子番組表を表示している状態から、同一属性の番組も強調される図９（ｃ）に示すような電子番組表の表示に切り換えられる。
なお、同一属性の番組の強調表示については、例えば、アニメーションを利用して、だんだんと色が変化していくようにしてもよい。
【００４０】
以上で明らかなように、この実施の形態３によれば、現在選択中の番組が変更された場合、変更後の番組を強調する表示形態で電子番組表を表示してから、一定時間経過後に、変更後の番組と同一属性の番組を強調する表示形態で電子番組表を表示するように構成したので、変更後の番組と同一属性の番組に注目させることができる効果を奏する。
【００４１】
実施の形態４．
図１０はこの発明の実施の形態４による表示制御装置を示す構成図であり、図において、図８と同一符号は同一または相当部分を示すので説明を省略する。
属性絞り込み受付部８は例えばリモコンやＡＶ機器などから情報を入手するインタフェース機器（例えば、赤外線インタフェース回路や、ＬＡＮインタフェース回路など）や、ＣＰＵを実装している半導体集積回路などから構成されており、その入手情報にしたがって属性の絞り込みを受け付ける処理を実施する。なお、属性絞り込み受付部８は属性絞り込み受付手段を構成している。
【００４２】
セル検索部９は例えばＣＰＵを実装している半導体集積回路、あるいは、ワンチップマイコンなどから構成されており、図１のセル検索部３と同様に、選択情報取得部２から出力された属性情報と、セル情報記憶部１により記憶されたセル情報に含まれている属性情報とを照合して、電子番組表を構成している複数の番組の中から、現在選択中の番組と同一属性の番組を検索する処理を実施するが、図１のセル検索部３と異なり、現在選択中の番組と同一属性の番組を検索する際、属性絞り込み受付部８により受け付けられた絞り込み後の属性が同一のセルを検索する。
なお、セル検索部９はセル検索手段を構成している。
【００４３】
図１０の例では、表示制御装置の構成要素であるセル情報記憶部１、選択情報取得部２、属性絞り込み受付部８、セル検索部９、変更制御部６、表示形態設定部７及び表示処理部５のそれぞれが専用のハードウェアで構成されているものを想定しているが、表示制御装置がコンピュータで構成されていてもよい。
表示制御装置がコンピュータで構成されている場合、例えば、セル情報記憶部１をコンピュータのメモリ上に構成するとともに、選択情報取得部２、属性絞り込み受付部８、セル検索部９、変更制御部６、表示形態設定部７及び表示処理部５の処理内容を記述している表示制御プログラムをコンピュータのメモリに格納し、当該コンピュータのＣＰＵが当該メモリに格納されている表示制御プログラムを実行するようにすればよい。
【００４４】
次に動作について説明する。
ただし、属性絞り込み受付部８及びセル検索部９以外は、上記実施の形態１〜３と同様であるため、ここでは、属性絞り込み受付部８及びセル検索部９の処理内容だけを説明する。
【００４５】
属性絞り込み受付部８は、例えば、リモコンやＡＶ機器などから、属性の絞り込み情報を受けると、その絞り込み情報にしたがって属性の絞り込みを受け付ける。
ここで、図１１は属性の絞り込み候補を示す説明図である。
図１１の例では、番組のジャンルのほか、お気に入り出演者、キーワード、家族ごとにおすすめ、年代に人気（例えば、２０歳代に人気）などが属性の絞り込み候補として用意されている。
例えば、「ジャンル」の欄にチェックを入れれば、上記実施の形態１〜３と同様に、現在選択中の番組と同一のジャンルの番組を検索することができる。
【００４６】
また、「お気に入り出演者」の欄にチェックを入れれば、「お気に入り出演者」を登録することができ、図１１の例では、「鈴木太郎」「田中花子」「ＳＮＡＰ」が登録されている。
この場合、「鈴木太郎」「田中花子」又は「ＳＮＡＰ」が出演している番組を検索することができる。
【００４７】
また、「キーワード」の欄にチェックを入れれば、「キーワード」を登録することができ、図１１の例では、「ラーメン」「クラシック」「イタリア」が登録されている。
この場合、「ラーメン」「クラシック」「イタリア」に関連する番組を検索することができる。
【００４８】
セル検索部９は、選択情報取得部２から属性情報を受けると、図１のセル検索部３と同様に、その属性情報と、セル情報記憶部１により記憶されたセル情報に含まれている属性情報とを照合して、電子番組表を構成している複数の番組の中から、現在選択中の番組と同一属性の番組を検索するが、図１のセル検索部３と異なり、現在選択中の番組と同一属性の番組を検索する際、属性絞り込み受付部８によりにより受け付けられた絞り込み後の属性が同一のセルを検索する。
例えば、属性絞り込み受付部８により「ジャンル」が受け付けられていれば、上記実施の形態１〜３と同様に、現在選択中の番組と同一のジャンルの番組を検索する。
例えば、属性絞り込み受付部８により「お気に入り出演者」が受け付けられていれば、登録された「お気に入り出演者」が出演している番組を検索する。
例えば、属性絞り込み受付部８により「キーワード」が受け付けられていれば、登録された「キーワード」に関連する番組を検索する。
【００４９】
以上で明らかなように、この実施の形態４によれば、セル検索部９が、現在選択中のセルと同一属性のセルを検索する際、属性絞り込み受付部８により受け付けられた絞り込み後の属性が同一のセルを検索するように構成したので、ユーザが好みの番組を速やかに見つけることができる効果を奏する。
【００５０】
なお、この実施の形態４では、表示処理部５がテレビの電子番組表を表示する際、属性絞り込み受付部８により受け付けられた絞り込み後の属性を画面の一部に表示するようにしてもよい。
【００５１】
実施の形態５．
上記実施の形態１〜４では、表示形態設定部４，７が、選択情報取得部２により取得された番組ＩＤが示す現在選択中の番組及びセル検索部３，９により検索された番組を強調する表示形態として、これらの番組の色を他の番組の色と異なる色で表示する表示形態を設定するものを示したが、これに限るものではなく、現在選択中の番組や同一属性の番組を強調することができれば、いかなる表示形態を設定するようにしてもよい。
【００５２】
図１２はこの発明の実施の形態５による表示制御装置を示す構成図であり、図において、図１０と同一符号は同一または相当部分を示すので説明を省略する。
強調方法設定受付部１０は例えばリモコンやＡＶ機器などから情報を入手するインタフェース機器（例えば、赤外線インタフェース回路や、ＬＡＮインタフェース回路など）や、ＣＰＵを実装している半導体集積回路などから構成されており、その入手情報にしたがってセルの強調方法の設定を受け付ける処理を実施する。なお、強調方法設定受付部１０は強調方法設定受付手段を構成している。
【００５３】
表示形態設定部１１は例えばＣＰＵを実装している半導体集積回路、あるいは、ワンチップマイコンなどから構成されており、図１０の表示形態設定部７（または、図１の表示形態設定部４）と同様の処理を実施するが、図１０の表示形態設定部７（または、図１の表示形態設定部４）と異なり、強調方法設定受付部１０により設定が受け付けられた強調方法でセルを強調する表示形態を設定する処理を実施する。
なお、変更制御部６、表示形態設定部１１及び表示処理部５から表示手段が構成されている。
【００５４】
図１２の例では、表示制御装置の構成要素であるセル情報記憶部１、選択情報取得部２、属性絞り込み受付部８、セル検索部９、変更制御部６、強調方法設定受付部１０、表示形態設定部１１及び表示処理部５のそれぞれが専用のハードウェアで構成されているものを想定しているが、表示制御装置がコンピュータで構成されていてもよい。
表示制御装置がコンピュータで構成されている場合、例えば、セル情報記憶部１をコンピュータのメモリ上に構成するとともに、選択情報取得部２、属性絞り込み受付部８、セル検索部９、変更制御部６、強調方法設定受付部１０、表示形態設定部１１及び表示処理部５の処理内容を記述している表示制御プログラムをコンピュータのメモリに格納し、当該コンピュータのＣＰＵが当該メモリに格納されている表示制御プログラムを実行するようにすればよい。
【００５５】
次に動作について説明する。
ただし、強調方法設定受付部１０及び表示形態設定部１１以外は、上記実施の形態１，２と同様であるため、ここでは、強調方法設定受付部１０及び表示形態設定部１１の処理内容だけを説明する。
【００５６】
強調方法設定受付部１０は、例えば、リモコンやＡＶ機器などから、セルの強調方法を示す情報を入手すると、その情報にしたがってセルの強調方法の設定を受け付ける。
ここで、図１３は強調方法の具体例を示す説明図である。
図１３では、現在選択中の番組や同一属性の番組の文字色を他の番組の文字色と異なるように表示形態を設定する強調方法、現在選択中の番組や同一属性の番組の背景色を他の番組の背景色と異なるように表示形態を設定する強調方法、現在選択中の番組や同一属性の番組の枠線の太さや色を他の番組の枠線の太さや色と異なるように表示形態を設定する強調方法を例示している。
また、図１３では、現在選択中の番組や同一属性の番組の文字の大きさを他の番組の文字の大きさと異なるように表示形態を設定する強調方法、現在選択中の番組や同一属性の番組にアイコンを表示して、他の番組にはアイコンを表示しない表示形態を設定する強調方法を例示している。
【００５７】
また、図１３では、現在選択中の番組や同一属性の番組の表示位置を上下左右方向にずらすアニメーション表示や、現在選択中の番組や同一属性の番組を点滅・移動するアニメーション表示する表示形態を設定する強調方法を例示している。
これらの表示形態では、アニメーションにより遷移するものを含むものとする。
例えば、だんだん色が濃くなる表示形態や、だんだん大きくなる表示形態などが考えられる。
【００５８】
表示形態設定部１１は、図１０の表示形態設定部７（または、図１の表示形態設定部４）と同様の処理を実施するが、図１０の表示形態設定部７（または、図１の表示形態設定部４）と異なり、強調方法設定受付部１０により設定が受け付けられた強調方法でセルを強調する表示形態を設定する。
例えば、強調方法設定受付部１０により現在選択中の番組や同一属性の番組の背景色を他の番組の背景色と異なる表示形態を設定する強調方法が受け付けられた場合、現在選択中の番組や同一属性の番組の背景色を他の番組の背景色と異なる表示形態に設定する。
例えば、強調方法設定受付部１０により現在選択中の番組や同一属性の番組の枠線の太さや色を他の番組の枠線の太さや色と異なる表示形態を設定する強調方法が受け付けられた場合、現在選択中の番組や同一属性の番組の枠線の太さや色を他の番組の枠線の太さや色と異なる表示形態に設定する。
【００５９】
以上で明らかなように、この実施の形態５によれば、表示形態設定部１１が、強調方法設定受付部１０により設定が受け付けられた強調方法でセルを強調する表示形態を設定するように構成したので、ユーザが好みに合わせて、電子番組表の表示形態をカスタマイズすることができる効果を奏する。
【００６０】
実施の形態６．
上記実施の形態１〜５では、テレビの電子番組表を表示する表示制御装置について示したが、上述したように、描画対象の表は電子番組表に限るものではない。
例えば、図１４に示すように、商品が縦横に並んでいる表形式のショッピング画面（ＰＣで表示するウェブサイトやテレビで表示する通販のショッピング画面）を適用するようにしてもよい。
この場合、現在選択中の商品を強調するとともに、選択中の商品と同一属性の商品を強調する表示形態で、ショッピング画面を表示する。
【００６１】
図１４の例では、現在選択中の商品が「Ｔシャツ」であるため、表示中商品の中から、「Ｔシャツ」の商品を検索して強調表示している。これにより、同一属性の商品を容易に見つけることができる。
また、図１４の例では、現在選択中の商品を「Ｔシャツ」から「カバン」に変更しているので、変更操作後には、「カバン」の商品を検索して強調表示している。
なお、図１４の例では、ブランド毎に商品が横方向に整列され、縦方向がおすすめ順になっているが、この整列方法は一例に過ぎず、例えば、商品のカテゴリと価格順の組み合わせでもよい。
【００６２】
また、図１５に示すように、写真が縦横に並んでいる表形式の画像一覧画面（ＰＣ、カメラ、携帯端末などの装置で表示される画像一覧画面）を適用するようにしてもよい。
この場合、現在選択中の写真を強調するとともに、選択中の写真と同一属性の写真を強調する表示形態で、画像一覧画面を表示する。ただし、各写真には、誰が写っているかを示す属性情報が記録されているものとする。
図１５の例では、現在選択中の写真が「男の子が写っている写真」であるため、表示中写真の中から、「男の子が写っている写真」を検索して強調表示している。
また、図１５の例では、現在選択中の写真が「男の子が写っている写真」から「女の子が写っている写真」に変更しているので、変更操作後には、「女の子が写っている写真」を検索して強調表示している。
なお、図１５の例では、撮影日毎に写真が横方向に整列され、縦方向が撮影時刻順になっているが、この整列方法は一例に過ぎず、例えば、撮影場所と撮影時刻の組み合わせでもよい。
【００６３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６４】
１  セル情報記憶部（セル情報記憶手段）、２  選択情報取得部（選択情報取得手段）、３，９  セル検索部（セル検索手段）、４，７，１１  表示形態設定部（表示手段）、５  表示処理部（表示手段）、６  変更制御部（表示手段）、８  属性絞り込み受付部（属性絞り込み受付手段）、１０  強調方法設定受付部（強調方法設定受付手段）。
【図１】
0005896772.tif 000002
【図２】
0005896772.tif 000003
【図３】
0005896772.tif 000004
【図４】
0005896772.tif 000005
【図５】
0005896772.tif 000006
【図６】
0005896772.tif 000007
【図７】
0005896772.tif 000008
【図８】
0005896772.tif 000009
【図９】
0005896772.tif 000010
【図１０】
0005896772.tif 000011
【図１１】
0005896772.tif 000012
【図１２】
0005896772.tif 000013
【図１３】
0005896772.tif 000014
【図１４】
0005896772.tif 000015
【図１５】
0005896772.tif 000016